(57)【要約】      （修正有）【課題】可燃性ガスを発生する固形物をばら積み状態で収納するばら積み貨物倉を備えた船舶において、ばら積み貨物倉の内部壁における溶接継手部分から、ばら積み貨物倉内からばら積み貨物倉に隣接する区画への可燃性ガスの漏出の可能性と、隣接する区画からばら積み貨物倉内への空気の侵入の可能性を著しく小さくして、可燃性ガスと空気との混合による爆発を防止することができる船舶を提供する。【解決手段】可燃性ガスを発生する固形物をばら積み状態で収納するばら積み貨物倉１０を備えた船舶において、前記ばら積み貨物倉１０を囲む内壁１１，１２，１３，１４を、鋼板の接続において隅肉溶接による溶接継手を用いずに完全溶け込みの突合せ継手Ｗ１のみを用いて接合された一枚板状の内壁板で形成する。【選択図】図５
2010195227.tif 000002
【特許請求の範囲】
【請求項１】
可燃性ガスを発生する固形物をばら積み状態で収納するばら積み貨物倉を備えた船舶において、前記ばら積み貨物倉を囲む内壁を、鋼板の接続において隅肉溶接による溶接継手を用いずに完全溶け込みの突合せ継手のみを用いて接合された一枚板状の内壁板で形成することを特徴とする船舶。
【請求項２】
前記一枚板状の内壁板と、ハッチコーミングを形成する鋼板との間も完全溶け込みの突合せ継手で接合して形成することを特徴とする請求項１記載の船舶。
【請求項３】
前記一枚板状の内壁板において、前記ばら積み貨物倉を囲む内壁に他の鋼材が接続する部分では、前記内壁を形成する鋼材の前記突合せ継手を前記他の鋼材が接続する部分よりも離れた位置に設け、前記内壁を形成する鋼材と前記他の鋼材との接合は隅肉溶接による溶接継手で行うと共に、更に前記内壁を形成する鋼材の方向が変化するときは、その方向に前記内壁を構成する鋼材を曲げて、この曲がり部分の先端部に前記突合せ継手を設け、前記他の鋼材の接合をこの曲がり部分が始まる部位よりも基側で行うことを特徴とする請求項１又は２記載の船舶。
【請求項４】
前記一枚板状の内壁板において、前記ばら積み貨物倉を囲む内壁に他の鋼材が接続する部分の一部又は全部で、３枚の鋼材が接合した形状で成型された三叉形状の鋼材を使用して、内壁を形成する鋼材と他の鋼材とをそれぞれ、前記三叉形状の鋼材に完全溶け込みの突合せ継手で接合することを特徴とする請求項１又は２記載の船舶。
【請求項５】
前記ばら積み貨物区域の上甲板の上に、その内部を荷役装置が移動可能な気密構造の全閉カバーを設けることを特徴とする請求項１、２、３又は４記載の船舶。
【発明の詳細な説明】
【技術分野】
【０００１】
本発明は、天然ガスハイドレート（ＮＧＨ）ペレット等の可燃性ガスを発生する固形貨物を運搬するための船舶に関する。
【背景技術】
【０００２】
最近、天然ガスハイドレートが注目され、天然ガスをガスハイドレートペレットの形態のままばら積み状態で運搬することが検討されている。図９に示すように、一般的なばら積み貨物船１Ｘでは、横断面で見ると、ばら積み貨物倉１０は、船底内板１１、ホッパーサイドタンクの外板（ばら積み貨物倉１０側の壁板）１２、船側内板１３、トップサイドタンクの外板（ばら積み貨物倉１０側の壁板）１４で囲まれて構成されている（例えば、特許文献１参照。）。
【０００３】
このばら積み貨物倉を形成する鋼板同士を接合する継手としては、隅肉溶接によるＴ継手や十字継手等と突合せ溶接による突合せ継手とが多用されている。この隅肉溶接による溶接継手を用いた場合には、隅肉溶接の溶着部に種々の溶接欠陥を発生し易い上に、溶接部分の良否の検査は、超音波探傷試験による非破壊検査となるため、突合せ溶接に比べ、信頼性が高い放射線試験が出来ない等、溶接継手部分の信頼性を完全に確保することが難しい。
【０００４】
一方、鋼板同士を突合せ溶接による突合せ継手で接合した場合には、溶接に先立って開先を設ける必要があるが、溶け込みを十分行うことができ、気密性を確保し易い上に、溶接部分の良否の検査も、超音波探傷試験よりも信頼性が高い放射線試験による非破壊検査を実施できる。そのため、突合せ溶接による突合せ継手を用いると、ガス漏れの要因となる溶接欠陥を発見し易く、より健全な溶接継手構造を実現することが可能となる上に、就航後の保守もし易くなる。
【０００５】
従来技術のばら積み貨物船では、気密性を要求されることが無いので、貨物倉を囲む内壁のすべての溶接箇所を完全溶け込みの突合せ溶接による突合せ継手とはしておらず、図８に示すように、ばら積み貨物倉１０の内壁を構成するそれぞれの鋼板の接続は、完全溶け込みの突合せ継手Ｗ１で接合されることが多いが、二重船殻内の縦通桁や上甲板との取合部をはじめ、内壁を形成するそれぞれの鋼板と二重底５、ホッパーサイドタンク６、船側空間部７、トップサイドタンク８との間を仕切る仕切り部材１７，１８，１９の鋼板との間、即ち、ナックル部（角部）Ｎでは、曲げ加工の精度管理が難しい等の理由から、隅肉溶接による溶接継手Ｗ２で接合されていることが多い。
【０００６】
しかしながら、天然ガスハイドレートペレット等の可燃性ガスを発生する固形貨物をばら積み貨物船で運搬する場合には、可燃性ガスが発生するので、貨物倉の内壁の溶接継手部分から可燃性ガスが隣接する区画へ漏れ出して、空気（酸素）と混合して爆発雰囲気を形成する可能性と、逆に、空気が貨物倉内に侵入して貨物倉内で爆発雰囲気を形成する可能性を共に無くすことが求められる。
【０００７】
特に、図８及び図９に示すような、船側外板３と船側内板１１との間に船側空間部７を設けた二重船殻構造のばら積み貨物船１Ｘでは、ばら積み貨物倉１０と隣接する船側空間部７やサイドホッパータンク６に設けられるバラストタンクやパイプスペース等は、ばら積み貨物倉１０から可燃性ガスが漏れていた場合に、他船が衝突する等して船側外板３が損傷した時には、このばら積み貨物倉１０と隣接する部分６，７に大量の空気が流入して、急速に爆発雰囲気が形成される恐れがあるので、大事故を引き起こす可能性がある。
【０００８】
そのため、可燃性ガスを発生する固形物を運搬する場合には、溶接継手部分における気密性の確保が重要となり、特に、二重船殻を構成する船側内板等では、気密性が十分に確保された溶接継手構造とすることが求められる。
【０００９】
よって、可燃性ガスを発生する固形物を格納するばら積み貨物倉を囲む内壁は、気密性が確保された構造とすべきではあるが、従来技術のばら積み貨物倉構造では、液化天然ガスを格納する独立タンクのように船体構造と独立したタンク壁によって貨物を格納する構造ではなく、船体構造と一体化した内壁により格納している。更に、ばら積み貨物倉の内壁の全ての溶接箇所を完全溶け込みの突合せ溶接による突合せ継手で接合しておらず、船底内板や船側内板などの船長方向の内壁と横隔壁の船幅方向の内壁との取合部など、多くの取合部を隅肉溶接による溶接継手によって溶接されている。なお、ばら積み貨物倉は大きな倉口を有しているが、その倉口はハッチカバーで気密を保っている。
【先行技術文献】
【特許文献】
【００１０】
【特許文献１】特開２００５−２１９６７７号公報
【発明の概要】
【発明が解決しようとする課題】
【００１１】
本発明は、上述の状況を鑑みてなされたものであり、その目的は、可燃性ガスを発生する固形物をばら積み状態で収納するばら積み貨物倉を備えた船舶において、ばら積み貨物倉を囲む内壁における溶接継手部分から、ばら積み貨物倉内からばら積み貨物倉に隣接する区画への可燃性ガスの漏出の可能性と、隣接する区画からばら積み貨物倉内への空気の侵入の可能性を著しく小さくして、可燃性ガスと空気との混合による爆発を防止することができる船舶を提供することにある。
【課題を解決するための手段】
【００１２】
上記の目的を達成するための本発明の船舶は、可燃性ガスを発生する固形物をばら積み状態で収納するばら積み貨物倉を備えた船舶において、前記ばら積み貨物倉を囲む内壁を、鋼板の接続において隅肉溶接による溶接継手を用いずに完全溶け込みの突合せ継手のみを用いて接合された一枚板状の内壁板で形成して構成される。
【００１３】
ここでいう「ばら積み貨物倉を囲む内壁」とは、貨物倉を構成する船底部分と側方部分と前後の横隔壁を含む面状部材、即ち、貨物倉の前後左右上下の内表面を構成する面状部材で構成された壁をいう。
【００１４】
つまり、可燃性ガスを発生する固形物を収納するばら積み貨物倉を囲む内壁板の全ての溶接継手を、完全溶け込みの突合せ溶接による突合せ継手とし、ばら積み貨物倉を囲む内壁は、ばら積み貨物倉ごとに、完全溶け込みの突合せ継手によって接合された一枚の板で、固形物を包み込む格納容器のような構造とする。しかし、船体構造と独立したタンク壁で液体貨物を格納する独立タンク構造様式とは異なり、内壁は、船体構造と一体化させる。
【００１５】
この構成によれば、ばら積み貨物倉の船底内板とホッパーサイド部分の外板と船側内板とトップサイドタンクの外板と横隔壁とで構成される内壁全体が完全溶け込みの突合せ継手のみで接続された構造となるので、ばら積み貨物倉内で発生する可燃性ガスが、貨物倉を囲む内壁の溶接継手部分から、船底側、船側側及び隣接するコファダムやばら積み貨物倉へ漏出する可能性を著しく低くすることができる。従って、船側の二重壁構造の船側空間部の内部への可燃性ガスの漏出の可能性が殆ど無くなるので、船側外板に他船が衝突した時等においても、船側の二重壁構造の船側空間部の内部における可燃性ガスと空気（酸素）との混合が生じず、爆発を防止することができる。
【００１６】
上記の船舶において、前記一枚板状の内壁板と、ハッチコーミングを形成する鋼板との間も完全溶け込みの突合せ継手で接合して形成する。この構成によれば、縦通板部材とハッチコーミング又は一枚板状の内壁板と上甲板との隙間から、ばら積み貨物倉内で発生する可燃性ガスが外部へ漏出する可能性も著しく低下させることができ、上甲板の鋼板と一枚板状の内壁板とが、隅肉溶接によるＴ継手で接合された場合における、縦通板部材とハッチコーミングとの溶接継手部分における溶接欠陥に起因する可燃性ガスの通過の可能性が生じるのを回避できる。
【００１７】
上記の船舶で、前記一枚板状の内壁板において、前記ばら積み貨物倉を囲む内壁に他の鋼材が接続する部分では、前記内壁を形成する鋼材の前記突合せ継手を前記他の鋼材が接続する部分よりも離れた位置に設け、前記内壁を形成する鋼材と前記他の鋼材との接合は隅肉溶接による溶接継手で行うと共に、更に前記内壁を形成する鋼材の方向が変化するときは、その方向に前記内壁を構成する鋼材を曲げて、この曲がり部分の先端部に前記突合せ継手を設け、前記他の鋼材の接合をこの曲がり部分が始まる部位よりも基側で行うように構成する。
【００１８】
この構成によれば、隅肉溶接による溶接継手を使用せずに、鋼板の方向が変化する部分でも完全溶け込みの突合せ継手のみを用いて接合することが容易にできる。また、他の鋼材の接合をこの曲がり部分が始まる部位よりも基側、即ち、曲がり部分でない部位で行うので、曲げ加工部分に更に溶接加工が加わるのを回避でき、鋼材の品質確保が容易にできるようになる。この構造では内壁を構成する鋼材と、ばら積み貨物倉と隣接する区画の仕切り部材の鋼板との接合などにおいて、これらの取り合いは全て板曲げ構造とし、仕切り部材の鋼板側が隅肉溶接となる溶接継手を用いて接合する。
【００１９】
上記の船舶で、前記縦通板部材において、前記一枚板状の内壁板において、前記ばら積み貨物倉を囲む内壁に他の鋼材が接続する部分の一部又は全部で、３枚の鋼材が接合した形状で成型された三叉形状の鋼材を使用して、内壁を形成する鋼材と他の鋼材とをそれぞれ、前記三叉形状の鋼材に完全溶け込みの突合せ継手で接合する。
【００２０】
この構成によれば、隅肉溶接による溶接継手を使用せずに、鋼板の方向が変化する部分でも完全溶け込みの突合せ継手のみを用いて接合できる。
【００２１】
上記の船舶において、前記ばら積み貨物区域の上甲板の上に、その内部を荷役装置（アンローダ）が移動可能な気密構造の全閉カバーを設けて構成する。この全閉カバーにより、荷役作業中に発生する可燃性ガスが大気中に放出されるのを防止することができる。
【発明の効果】
【００２２】
本発明の船舶によれば、ばら積み貨物倉のばら積み貨物倉を囲む内壁を形成する鋼材の溶接継手を、全て完全溶け込みの突合せ継手としたので、溶接部分による欠陥を少なくすることができ、また、隅肉溶接によるＴ継手に用いられる超音波探知試験に比べて、より信頼性の高い放射線試験で溶接の良否を判定できるので、優れた気密性を確保することができる。
【００２３】
これにより、ばら積み貨物倉を囲む内壁の溶接継手部分の溶接欠陥に起因して、ばら積み貨物倉内で発生する可燃性ガスが、船底側、船側側及び隣接するコファダム等へ漏出する可能性と、空気がばら積み貨物倉に隣接する区画からばら積み貨物倉内へ侵入する可能性とを著しく小さくすることができ。従って、船側へ他船が衝突した時等において、船側側の二重壁構造内における可燃性ガスと空気との混合を回避して、爆発を防止することができる。
【図面の簡単な説明】
【００２４】
【図１】本発明に係る実施の形態における船舶の構成を示した側断面図である。
【図２】本発明に係る実施の形態における船舶の構成を示した平面図である。
【図３】本発明に係る実施の形態における船舶の構成を示した横断面図である。
【図４】本発明に係る実施の形態におけるばら積み貨物倉の構造を示した断面を含む斜視図である。
【図５】本発明に係る実施の形態におけるばら積み貨物倉の溶接構造を示した模式的な横断面図である。
【図６】本発明に係る実施の形態におけるばら積み貨物倉の溶接構造の他の例を示した模式的な横断面図である。
【図７】本発明に係る実施の形態におけるばら積み貨物倉の溶接構造の他の例を示した模式的な横断面図である。
【図８】従来技術のばら積み貨物倉の溶接構造の例を示した模式的な横断面図である。
【図９】従来技術のばら積み貨物船の構成を示した横断面図である。
【発明を実施するための形態】
【００２５】
以下、図面を参照して本発明に係る船舶について説明する。なお、図面では、船体構造やハッチ構造の概要を示し、細かい構造を示すものではなく、ビームやステイフナ等の補強部材の詳細は省略している。
【００２６】
図１〜図４に示すように、本発明に係る実施の形態の船舶１は、船底板２と船側外板３と上甲板４等を有して構成されると共に、可燃性ガスを発生する固形物、例えば、天然ガスハイドレート（ＮＧＨ）ペレット等をばら積み状態で収納するばら積み貨物倉１０を備えて構成される。なお、図１及び図３の図中のＬＷＬは満載喫水線を示す。
【００２７】
この船舶１は、船体の横断面で見ると、外側を船底板２と船側外板３と上甲板４とで囲まれ、内側のばら積み貨物倉１０を囲む内壁は、横断面では、船底内板１１、ホッパーサイドタンク６の外板（貨物倉１０側の板）１２、船側内板１３、トップサイドタンク８の外板（貨物倉１０側の板）１４とで構成されており、上甲板４又はハッチコーミング（倉口縁材）２０と接続している。
【００２８】
船底内板１１は船底板２と共に二重底５を構成し、船側内板１１は船側外板３と共に船側空間部７を構成する。また、ホッパーサイドタンク６はばら積み貨物倉１０の両舷の下方に設けられており、トップサイドタンク８はばら積み貨物倉１０の両舷の上方に設けられている。これらのホッパーサイドタンク６、船側空間部７とトップサイドタンク８はバラストタンクやパイプスペースの一部として使用される。
【００２９】
また、船体の前後方向に関しては、最前部の横隔壁１５で船首部区画３０との間を仕切られ、各ばら積み貨物倉１０の間は横隔壁１５で仕切られ、最後部の横隔壁１５で機関区画４０との間を仕切られている。この最前部の横隔壁１５と船首部区画３０との間にはコファダム（空隙部）１６ａが、各ばら積み貨物倉１０の間の横隔壁１５の間にはコファダム１６ｂ、最後部の横隔壁１５と機関区画４０との間にはコファダム１６ｃが設けられている。この最前部の横隔壁１５と最後部の横隔壁１５の間がばら積み貨物が積み込まれるばら積み貨物区域Ｌとなる。
【００３０】
つまり、ばら積み貨物倉１０を囲む内壁１１，１２，１３，１４，１５は、ばら積み貨物倉１０を構成する船底部分と側方部分と前後の横隔壁１５を含む面状部材、即ち、ばら積み貨物倉の前後左右上下の内表面を構成する面状部材で構成される。
【００３１】
また、ばら積み貨物倉１０の上部には倉口１０ａが設けられ、この倉口１０ａの周囲にはハッチコーミング２０が設けられ、その上にハッチカバー２１が載せられる。このハッチカバー２１は、リフティングタイプのハッチカバーの場合は、上方に設置された移動レールまでリフティングし、前若しくは後のハッチカバー上へ移動させて、倉口１０ａを開口する。このハッチカバー２１は、航海中は倉口１０ａを覆って海水や雨水等の浸入を防止するように構成されると共に、積荷が可燃性ガスを発生するので、ハッチカバー２１とハッチコーミング２０との間は気密構造になるように構成される。
【００３２】
また、ばら積み貨物倉１０の全体を覆って、側壁５１と天井５２と前端壁５３と後端壁５４で囲まれた気密構造のアンローダー（荷役装置）移動空間５０を設けて構成する。このアンローダー移動空間５０は、貨物のばら積みの荷役作業中に発生する可燃性ガスが大気中に放出されるのを防止する。
【００３３】
そして、本願発明の実施の形態の船舶１では、ばら積み貨物倉１０を囲む内壁１１，１２，１３，１４，１５（斜線によるハッチング部分）を、鋼板の接合において、隅肉溶接による溶接継手（隅肉溶接によるＴ継手や十字継手等）Ｗ２を用いずに、完全溶け込みの突合せ継手Ｗ１のみを用いて接合された一枚板状の内壁板、即ち、一枚板状に連続的に接続された板状部材で形成する。この内壁１１，１２，１３，１４，１５は、船底内板１１、ホッパーサイドタンク６の外板１２、船側内板１３、トップサイドタンク８の外板１４及び横隔壁１５で構成される。
【００３４】
図５に示すように、一枚板状の内壁板は、断面がＹ字形状やＴ字形状の三叉形状になる部分においては、ばら積み貨物倉１０の内側に面する鋼材に曲がり部（カーブ）Ｃを設けて、この曲がり部Ｃを避けた部分で突合せ継手Ｗ１で接合する。これにより、完全溶け込みの突合せ溶接による突合せ継手Ｗ１のみを用いて、一枚板状の内壁板で形成する。また、鋼材の継手の品質を保つため、突合せ継手Ｗ１を曲がり部Ｃから外れた部位に設けることにより、鋼材に曲げ加工と溶接加工の両方を与えることを避ける。
【００３５】
図１、図２、図４及び図５に示すように、この一枚板状の内壁板で形成される内壁１１，１２，１３，１４，１５は、船底内板１１、ホッパーサイドタンク６の外板１２、船側内板１３、トップサイドタンク８の外板１４、及び、横隔壁１５が完全溶け込みの突合せ継手Ｗ１のみを用いて一枚状に連続的に接続されるが、上甲板４とは、下側からトップサイドタンク８の外板１４が上甲板４に交差されて、外板１４の両面側の隅肉溶接による溶接継手Ｗ２で接合される。
【００３６】
この一枚板状の内壁板の連続構造により、ばら積み貨物倉１０で発生した可燃性ガスが、ばら積み貨物倉１０の周囲の二重底５、ホッパーサイドタンク６、船側空間部７、トップサイドタンク８、及び、コファダム１６ａ，１６ｂ，１６ｃに溶接継手部分から流出することを防止できる。また、逆に、空気が出入りする周囲の区画部分５，６，７，８，１６ａ，１６ｂ，１６ｃから空気がばら積み貨物倉１０内に溶接継手部分から侵入する可能性を著しく小さくすることができる。
【００３７】
図６に示す一枚板状の内壁板では、内壁１１，１２，１３，１４，１５（１５は図１、図２、図４を参照）は、船底内板１１、ホッパーサイドタンク６の外板１２、船側内板１３、トップサイドタンク８の外板１４、及び、横隔壁１５に加えて、ハッチコーミング２０とも完全溶け込みの突合せ継手Ｗ１のみを用いて一枚板状に連続的に接続される。従って、上甲板４はばら積み貨物倉１０とは反対側で上甲板４の両面での隅肉溶接による溶接継手Ｗ２で接合される。この構成によれば、内壁１１，１２，１３，１４，１５と、上甲板４、ハッチコーミング２０との溶接継手部分から可燃性ガスが漏れるのを防止することができる。
【００３８】
図７に示す一枚板状の内壁板では、内壁１１，１２，１３，１４，１５（１５は図１、図２、図４を参照），２０は、断面がＹ字形状やＴ字形状の三叉部材６０で、船底内板１１、ホッパーサイドタンク６の外板１２、船側内板１３、トップサイドタンク８の外板１４、及び、横隔壁１５に加えてハッチコーミング２０が完全溶け込みの突合せ継手Ｗ１のみを用いて一枚状に連続的に接続される。この場合は、二重底５とホッパーサイドタンク６との仕切り部材１７の鋼板、ホッパーサイドタンク６と船側空間部７との仕切り部材１８の鋼板、船側空間部７とトップサイドタンク８との仕切り部材１９の鋼板も三叉部材６０と完全溶け込みの突合せ継手Ｗ１で接合される。
【００３９】
なお、図７では、トップサイドタンク８の外板１４とハッチコーミング２０と上甲板４も三叉部材６０で完全溶け込みの突合せ継手Ｗ１のみで接続している。但し、僅かながら気密性が劣るが、この上甲板４と接続する部分を図５に示すような隅肉溶接による溶接継手Ｗ２で接続することもできる。
【００４０】
この三叉部材６０は３枚の板状部材を付き合わせた形状で成型されている鋼材であり、３枚の板部材が既に接続された状態であるので、突合せ溶接による突合せ継手Ｗ１で鋼板を接合することが容易にできる。従って、この構成によれば、曲がり部Ｃを形成するための曲げ加工が不要になるので、工作が容易となる。
【００４１】
上記の構成によれば、ばら積み貨物倉１０の船底内板１１とホッパーサイドタンク６の外板１２と船側内板１３とトップサイドタンク８の外板１４、及び、横隔壁１５とが完全溶け込みの突合せ継手Ｗ１で接合された構造となるので、ばら積み貨物倉１０内で発生する可燃性ガスが、内壁１１，１２，１３，１４，１５の溶接継手部分から、ばら積み貨物倉１０の外側へ漏出する可能性を著しく小さくすることができる。従って、船側外板３へ他船が衝突した時等においても、船側側の二重壁構造内の船側空間部７における可燃性ガスと空気（酸素）との混合を回避して、爆発を防止することができる。
【００４２】
又、逆に、空気が出入りする可能性のある二重底５、ホッパーサイドタンク６、船側側空間部７、トップサイドタンク８、及び、コファダム１６ａ，１６ｂ，１６ｃから空気がばら積み貨物倉１０の内部に侵入する可能性を著しく小さくして、空気が可燃性ガスと混合することを回避して、爆発を防止できる。
【００４３】
なお、更に、ばら積み貨物区域Ｌの前端部に位置する横隔壁１５ではその前方にあるコファダム１６ａに不活性ガス（イナートガス）を供給したりして、万一、この部分１６ａで可燃性ガスと酸素が混合するのを防止する。ばら積み貨物区域Ｌの後端部に位置する横隔壁１５でもその後方にあるコファダム１６ｃで同様な対応を行う。更に、ばら積み貨物区域Ｌ内のばら積み貨物倉１０の間にある横隔壁１５においては、コファダム１６ｂで同様な対応をする。
【産業上の利用可能性】
【００４４】
本発明の船舶は、可燃性ガスを発生する固形物をばら積み状態で運搬する際に、ばら積み貨物倉の内部と外部との間を完全溶け込みの突合せ継手のみで接合して形成した一枚板状の板部材で形成された一枚板状の内壁板で仕切ることが出来るので、溶接継手部分を通してばら積み貨物倉の内部から外部に可燃性ガスが漏出する可能性と、溶接部を通してばら積み貨物倉の外部から内部に空気が侵入する可能性を著しく小さくすることができ、可燃性ガスと空気との混合による爆発の危険性が生じることを防止できる。そのため、ＮＧＨハイドレート等の可燃性ガスを発生する固形物をばら積み状態で運搬する船舶として利用できる。
【符号の説明】
【００４５】
１  船舶
４  上甲板
５  二重底
７  船側空間部
６  ホッパーサイドタンク
８  トップサイドタンク
１０  ばら積み貨物倉
１１  船底内板
１２  ホッパーサイドタンクの外板
１３  船側内板
１４  トップサイドタンクの外板
１５  横隔壁
２０  ハッチコーミング（倉口縁材）
５０  アンローダー移動空間
６０  三叉部材
Ｃ  曲がり部
Ｌ  ばら積み貨物区域
Ｗ１  完全溶け込みの突合せ継手
Ｗ２  隅肉溶接による溶接継手
【図１】
2010195227.tif 000003
【図２】
2010195227.tif 000004
【図３】
2010195227.tif 000005
【図４】
2010195227.tif 000006
【図５】
2010195227.tif 000007
【図６】
2010195227.tif 000008
【図７】
2010195227.tif 000009
【図８】
2010195227.tif 000010
【図９】
2010195227.tif 000011